【手続補正書】
【提出日】平成21年1月27日(2009.1.27)
【手続補正１】
【補正対象書類名】明細書
【補正対象項目名】特許請求の範囲
【補正方法】変更
【補正の内容】
【特許請求の範囲】
【請求項１】
ディスクアレイ装置であって、
上位装置から第一のロジカルユニットに対して送信され前記ディスクアレイ装置で受信される第一の書き込みアクセスと、第二のロジカルユニットに対して送信され前記ディスクアレイ装置で受信される第二の書き込みアクセスと、を制御する前記ディスクアレイ装置の制御部と、
第一のＲＡＩＤグループを構成するものであって、前記制御部による制御に従い前記第一の書き込みアクセスに関するデータを格納する第一のディスク装置群と、
第二のＲＡＩＤグループを構成するものであって、前記制御部による制御に従い前記第二の書き込みアクセスに関するデータを格納する第二のディスク装置群と、を有し、
前記制御部は、前記第一及び第二のディスク装置群のうちの前記第一のディスク装置群に関して管理されている時間が経過した後に、前記第一のディスク装置群の動作状態を、前記制御部による制御に従いデータを格納可能な第一の動作状態と、節電効果を奏する第二の動作状態と、の間で変更するように制御するものであることを特徴とするディスクアレイ装置。
【請求項２】
請求項１に記載のディスクアレイ装置であって、
前記制御部は、前記第一のディスク装置群の動作状態が前記第二の動作状態のときに前記時間が経過した後には、前記第一のディスク装置群の動作状態を前記第一の動作状態に変更するように制御するものであることを特徴とするディスクアレイ装置。
【請求項３】
請求項１又は２のいずれかに記載のディスクアレイ装置であって、
前記制御部は、前記第一のディスク装置群の動作状態が前記第一の動作状態のときに前記時間が経過した後には、前記第一のディスク装置群の動作状態を前記第二の動作状態に変更するように制御するものであることを特徴とするディスクアレイ装置。
【請求項４】
請求項１乃至３のいずれかに記載のディスクアレイ装置であって、
前記制御部は、さらに第三のロジカルユニットに対して送信される第三の書き込みアクセスを受信するものであり、
前記第一のディスク装置群は、さらに前記第三の書き込みアクセスに関するデータを格納するものであり、
前記制御部は、前記第一のディスク装置群の動作状態が前記第一の動作状態のときに前記時間が経過した後、前記第一のディスク装置群が前記第三のロジカルユニットとの関係で使用されていない場合には前記第一のディスク装置群の動作状態を前記第二の動作状態に変更し、前記第一のディスク装置群が前記第三のロジカルユニットとの関係で使用されている場合には前記第一のディスク装置群の動作状態を前記第一の動作状態のまま維持するように制御するものであることを特徴とするディスクアレイ装置。
【請求項５】
請求項１乃至４のいずれかに記載のディスクアレイ装置であって、
前記制御部は、前記第一のディスク装置群の動作状態の変更と独立に、前記第二のディスク装置群の動作状態を変更するように制御するものであることを特徴とするディスクアレイ装置。
【請求項６】
ディスクアレイ装置であって、
上位装置から第一のロジカルユニットに対して送信され前記ディスクアレイ装置で受信される第一の書き込みアクセスと、第二のロジカルユニットに対して送信され前記ディスクアレイ装置で受信される第二の書き込みアクセスと、を制御する制御部と、
第一のＲＡＩＤグループを構成するものであって、前記制御部による制御に従い前記第一の書き込みアクセスに関するデータを格納する第一のディスク装置群と、
第二のＲＡＩＤグループを構成するものであって、前記制御部による制御に従い前記第二の書き込みアクセスに関するデータを格納する第二のディスク装置群と、を有し、
前記制御部は、前記第一の書き込みアクセスに関するデータを前記第一のディスク装置群に格納した後、前記第一及び第二のディスク装置群のうちの前記第一のディスク装置群の動作状態を前記制御部による制御に従いデータを格納可能な第一の動作状態のまま維持するように制御し、その後、節電効果を奏する第二の動作状態に変更するように制御するものであることを特徴とするディスクアレイ装置。
【請求項７】
請求項６に記載のディスクアレイ装置であって、
前記制御部は、さらに第三のロジカルユニットに対して送信される第三の書き込みアクセスを受信するものであり、前記第一のディスク装置群は、さらに前記第三の書き込みアクセスに関するデータ格納するものであって、
前記制御部は、前記第一の書き込みアクセスに関するデータを前記第一のディスク装置群に格納した後、前記第一のディスク装置群が前記第三のロジカルユニットとの関係で使用されている場合には前記第一のディスク装置群の動作状態を前記第一の動作状態のまま維持し、前記第一のディスク装置群が前記第三のロジカルユニットとの関係で使用されていない場合には前記第一のディスク装置群の動作状態を前記第一の動作状態のまま維持し、その後、前記第二の動作状態に変更するように制御することを特徴とするディスクアレイ装置。
【請求項８】
請求項６又は７のいずれかに記載のディスクアレイ装置であって、
前記制御部は、前記第一のディスク装置群の動作状態の変更と独立に、前記第二のディスク装置群の動作状態を変更するように制御するものであることを特徴とするディスクアレイ装置。
【請求項９】
制御部と複数のディスク装置群を有するディスクアレイ装置の前記制御部による制御方法であって、
上位装置から第一のロジカルユニットに対して送信される第一の書き込みアクセスを受信し、前記第一の書き込みアクセスに関するデータを、ＲＡＩＤグループを構成する前記複数のディスク装置群のうちの第一のディスク装置群に格納するステップと、
前記上位装置から第二のロジカルユニットに対して送信される第二の書き込みアクセスを受信し、前記第二の書き込みアクセスに関するデータを、ＲＡＩＤグループを構成する前記複数のディスク装置群のうちの第二のディスク装置群に格納するステップと、
前記第一及び第二のディスク装置群のうちの前記第一のディスク装置群に関して管理されている時間が経過した後に、前記第一のディスク装置群の動作状態を、前記制御部による制御に従いデータを格納可能な第一の動作状態と、節電効果を奏する第二の動作状態と、の間で変更するように制御するステップと、
を有することを特徴とする制御方法。
【請求項１０】
請求項９に記載のディスクアレイ装置の前記制御部による制御方法であって、
前記第一のディスク装置群の動作状態が前記第二の動作状態のときに前記時間が経過した後には、前記第一のディスク装置群の動作状態を前記第一の動作状態に変更するよう制御することを特徴とする制御方法。
【請求項１１】
請求項９又は１０のいずれかに記載のディスクアレイ装置の前記制御部による制御方法であって、
前記第一のディスク装置群の動作状態が前記第一の動作状態のときに前記時間が経過した後には、前記第一のディスク装置群の動作状態を前記第二の動作状態に変更するよう制御することを特徴とする制御方法。
【請求項１２】
請求項９乃至１１に記載のディスクアレイ装置の制御部による制御方法であって、
さらに、第三のロジカルユニットに対して送信される第三の書き込みアクセスを受信し、前記第三の書き込みアクセスに関するデータを前記第一のディスク装置群に格納するステップを有し、
前記第一のディスク装置群の動作状態が前記第一の動作状態のときに前記時間が経過した後、前記第三のロジカルユニットとの関係で使用されていない場合には前記第一のディスク装置群の動作状態を前記第二の動作状態に変更し、前記第一のディスク装置群が前記第三のロジカルユニットとの関係で使用されている場合には前記第一のディスク装置群の動作状態を前記第一の動作状態のまま維持するように制御すること特徴とする制御方法。
【請求項１３】
請求項９乃至１２のいずれかに記載のディスクアレイ装置の制御部による制御方法であって、
前記第一のディスク装置群の動作状態の変更と独立に、前記第二のディスク装置群の動作状態を変更するように制御するものであることを特徴とする制御方法。